Podtech/llm-jp-corpus-v4-ja_patent huggingface dataset:
(57)【要約】［課  題］  従来の足踏器では、底部にすべり止め材がついていないため、使用する人が足踏器の上で足踏みをすると、足踏器が床などの上をすべり、非常に危険であるという問題点を有していた。また、足踏器を床などに強く置いたりすると損傷するという問題点を有していた。［解決手段］  足踏器の底部にすべり止め材をつけることによって、足踏器が床などの面上をすべらないようにし、すべり止め材がクッションの役目を果たし足踏器の損傷を防ぐことができるようにした。【選択図】  図２
2004208984.tif 000002
【特許請求の範囲】
【請求項１】
底部（１）にすべり止め材（２）を形成してなる足踏器（Ａ）
【請求項２】
底部（１）に粘着層（３）を形成し、粘着層（３）の上面にすべり止め材（２）を貼付してなる請求項１記載の足踏器（Ａ）
【発明の詳細な説明】
【０００１】
［発明の属する技術分野］
本発明は、足踏器を使用する人が足踏器の上で足踏みをしても、足踏器が置かれている床などの面上からすべらず、また、足踏器を床などに置く際の損傷を防ぎ、安全に使用できる足踏器に関するものである。
【０００２】
［従来の技術］
従来、底部にすべり止め材をつけた足踏器は無かった。
【０００３】
［発明が解決しようとする課題］
従来の足踏器では、底部にすべり止め材をついていないため、老人や身体の思うように動かない人が足踏器の上で足踏みすると、足踏器が置かれている床などの上を動き、使用する人が転倒したりし、非常に危険であるという問題点を有していた。
【０００４】
健康な人でもあわてたり、不安定な状態で従来の足踏器を使用すると、足踏器が床などの上をすべり、非常に危険であるという問題点を有していた。
【０００５】
また、従来の足踏器では、特に陶磁器製の足踏器などの場合、床などに強く置いたり、使用者が足踏器の上で転倒した時に、足踏器が損傷しやすいという問題点を有していた。
【０００６】
本発明は従来の技術の有するこのような問題点に鑑みてなされたものであり、その目的とするところは、足踏器を使用する人が足踏器の上で足踏みをしても、足踏器が置かれている床などの面上からすべらず、足踏器の損傷の恐れもなく、安全に使用できる足踏器を提供しようとするものである。
【０００７】
［課題を解決するための手段］
上記目的を達成するために、本発明における足踏器は、足踏器の底部にすべり止め材をつけることによって、足踏器が床などの上からすべらないようにし、すべり止め材が足踏器を床に置く際のクッションの役目を果たし、足踏器の損傷を防ぐため、課題を解決した。
【０００８】
［発明の実施の形態］
実施例について、図面を参照して説明する。第２図において、足踏器Ａは、例えば、陶磁器製の足踏器を用い、すべり止め材２にはシリコンゴムを足踏器の底部に形成する。第５図において、足踏器Ａの底部には粘着層３を形成し、例えば、すべり止め材２にはポリエステル等を用い貼付するものとする。
【０００９】
［発明の効果］
本発明は、上述の通り構成されているので、次に記載する効果を奏する。本発明の足踏器は、底部にすべり止め材をつけているので、足踏器を使用する人が足踏器の上で足踏みをしても、足踏器が床などの面上をすべらずに安全に使用することができる。
【００１０】
本発明の足踏器は、底部にすべり止め材をつけているので、足踏器を強く床などに置いても、すべり止め材がクッションの役目を果たし、足踏器の損傷を防ぐことができる。
【図面の簡単な説明】
【図１】すべり止め材をつける前の足踏器を裏から見た図
【図２】斜め上から見た請求項１の足踏器の外観図
【図３】請求項１の足踏器の側面図
【図４】請求項１の足踏器の側面の断面図
【図５】斜め上から見た請求項２の足踏器の外観図
【図６】請求項２の足踏器の側面図
【図７】請求項２の足踏器の側面の断面図
【符号の説明】
Ａ  足踏器
１  底部
２  すべり止め材
３  粘着層
【図１】
2004208984.tif 000003
【図２】
2004208984.tif 000004
【図３】
2004208984.tif 000005
【図４】
2004208984.tif 000006
【図５】
2004208984.tif 000007
【図６】
2004208984.tif 000008
【図７】
2004208984.tif 000009
(57)【要約】【課題】マイナスイオン選択拡散システムに関する。【解決手段】任意形状の金属板５Ａを密閉した合成樹脂板５を浴室内の壁１の任意箇所に設け、金属網６Ａと吸引フアン７とを設けた合成樹脂通気板６を前記浴室内の壁２の任意箇所に設け、マイナスイオン発生装置８を前記浴室内の壁３の任意箇所に設け、前記金属板５Ａに直流電源１０のプラス側を接続し、金属網６Ａに前記直流電源１０のマイナス側を接続したことである。【選択図】  図３
2004208983.tif 000002
【特許請求の範囲】
【請求項１】
任意形状の金属板（５Ａ）を密閉した合成樹脂板（５）を浴室の壁（１）の任意箇所に設け、金属網（６Ａ）と吸引フアン（７）とを設けた合成樹脂通気板（６）を前記浴室の壁（２）の任意箇所に設け、マイナスイオン発生装置（８）を前記浴室の壁（３）の任意箇所に設けて成るマイナスイオン選択拡散システム。
【発明の詳細な説明】
【０００１】
【発明の属する技術分野】
本発明は、マイナスイオン選択拡散システムに関する。
【０００２】
【従来の技術】
従来、色々なマイナスイオン発生装置を住居の部屋に設けてあるが、マイナスイオン発生装置を浴室に設けて、マイナスオンを浴室内全体に拡散させている装置は提供されていない。
【０００３】
【発明が解決しよとする課題】
浴室内全体にマイナスイオンだけを拡散させることである。
【０００４】
【課題を解決するための手段】
任意形状の金属板を密閉した合成樹脂板を浴室内の任意の壁に設け、他の壁には、金属網と吸引フアンとから成る合成樹脂通風板とマイナスイオン発生装置を設けたことである。
【０００５】
【発明の実施の形態】
発明の実施の形態を実施例にもとずき図面を参照して説明する。
図１は、酸化されない金属板５Ａを密閉して成る合成樹脂板５を示す。
図２は、金属網６Ａを前面に、吸入フアン７を後部に設けた合成樹脂通気板６を示す。
図３は、合成樹脂板５、合成通気板６、マイナスイオン発生装置８等を浴室内の壁１、２、３に設けた展開図を示す。
図４は、浴室内でのマイナスイオンが合成樹脂板５の内部に設けた金属板５Ａに引かれ、プラスイオンが合成樹脂通気板６に設けた金属網６Ａに吸引される電気的構成図を示す。
【０００６】
壁３に設けたマイナスイオン発生装置８からマイナスイオンが浴室内に放射されるが、マイナスイオン発生装置８からマイナスイオンが、１００％放射されることはなく、少なくとも、２０％乃至３０％はプラスイオンが放射されている可能がある。
また、浴室内の高い温度によるプラスイオンの発生が可能になることもあるので、本発明によって、マイナスイオンのみを浴室内全体に拡散させるシステムとしたことである。
即ち、マイナスイオン発生装置８から放射されたマイナスイオンは、図４に示すように、直流電源１０のプラス側が接続されている合成樹脂板５の内部の金属板５Ａにひかれ、浴室内を拡散されて行く。
【０００７】
また、マイナスイオン発生装置８から漏洩放射されるプラスイオンは、図４に示すように、直流電源１０のマイナス側が接続されている合成樹脂通気板６に設けてある金属網６Ａ側に引かれるので、プラスイオンは、浴室内に拡散されることがないと共に、合成樹脂通気板６の後部に設けてある吸引フアン７で浴室の外部に排出される。
【０００８】
【発明の効果】
したがつて、浴室内は、マイナスイオンのみが存在されることになる。
【図面の簡単な説明】
【図１】金属板５Ａが密閉されて合成樹脂板の斜視図である。
【図２】金属網と吸引フアンとを合成樹脂通気板に設けた斜視図である。
【図３】各壁が設けてある浴室内の展開図である。
【図４】金属板と金属網に直流電源を接続した図である。
【符号の説明】
１、２、３      壁
５              合成樹脂板
５Ａ            金属板
６              合成樹脂通気板
６Ａ            金属網
７              吸引フアン
８              マイナスイオン発生装置
９              浴槽
１０              直流電源
【図１】
2004208983.tif 000003
【図２】
2004208983.tif 000004
【図３】
2004208983.tif 000005
【図４】
2004208983.tif 000006
(57)【要約】【課題】駆動力や複雑な仕組に頼らず、簡便、安価、健康にも効果のある方法で部分入歯の洗浄ができ、洗浄後は洗浄済み部分入歯の保管にも用いることのできる部分入歯洗浄・保管器具の提供。【解決手段】弾性素材によって成り、上部に開口部（２）、基底部に排出口（３）のある押し揉みカップ（１）の中に、小ブラシ（４）の集合によって成るブラシ叢（５）を収めることを特徴とする部分入歯洗浄・保管器具。【選択図】図３
2004208990.tif 000002
【特許請求の範囲】
【請求項１】
上部に開口部（２）、基底部に排水口（３）をそなえた弾性のある押し揉みカップ（１）の中に、小ブラシ（４）の集合によって成るブラシ叢（５）を収めた部分入歯洗浄・保管器具。
【発明の詳細な説明】
【０００１】
【発明の属する技術分野】
この発明は、弾性のあるカップ内に収めたブラシ叢に部分入歯を挿入したあと、カップを掌中にして開口部を蛇口に当て、ブラシ叢に水道水を注ぎ込みつつカップを押し揉みすることによって部分入歯の洗浄を行なう部分入歯洗浄・保管器具に関するものである。
【０００２】
【従来の技術】
洗浄に有効な成分を含む溶液の中に入歯を浸す方法はメディアによる宣伝もあって広く知られている。物理的な力に頼らない点は長所であるが、社会の高度技術化とともに進む身体感覚の希薄化のなかで、自分の身のまわりの物との、より手応えのある関わりを求める人たちには、そのまま心許なさとなる。溶液を買い継いでいかねばならぬ面倒もある。
また、歯磨用ブラシの植毛部の形状と大きさに工夫を加えた例（特許文献１参照）があるが、部分入歯は不規則多面の小片であるため、老齢者が片方の手の指の先にこれを持ち、他方の手にブラシを持って過不足のない全面的なブラッシングを行うのは少々厄介である。
一方、ミキサーの中に入歯を入れた籠を収め、洗剤、塩、砂、温水を投入したうえ、回転翼の作動によって生じた噴流の摺動作用で入歯を洗浄する例（特許文献２参照）があるが、日常の用とするには仕掛けが大仰に過ぎる感がある。
その他に、駆動力によってブラシを回転させるいくつかの例（特許文献３、４、５参照）がある。それぞれ有効、有用なものであるとしても、装置が入り組み、コスト面に難があるとともに旅行時の携行に不向きである。
【０００３】
【特許文献１】特開２００１−１９７９３８号公報
【特許文献２】実開平６−５６０９公報
【特許文献３】特開平８−１９７００８公報
【特許文献４】特開平１０−２０８公報
【特許文献５】特開平１１−１５１２５７公報
【０００４】
【発明が解決しようとする課題】
本発明はそれらの欠点への対案である。すなわち、手応えと充実感のある簡便な方法で部分入歯の洗浄ができるとともに、構成が簡単で安価、保管具としても使え、小型で携行も可能な部分入歯洗浄・保管具の提供である。本発明は、弾性のあるカップ内にブラシ叢を収めるという簡明な仕組によってその課題に答えようとするものである。
【０００５】
【課題を解決するための手段】
これを図面について説明すれば、
弾性素材によって成り、上部に開口部（２）、基底部に排水口（３）を設けた押し揉みカップ（１）の中に、小ブラシ（４）の集合によって成るブラシ叢（５）を収めることにより構成される部分入歯洗浄保管器具である。
【０００６】
【発明の実施の形態】
以上の構成であるから、実施にあたっては、
（イ）押し揉みカップ（１）に収めたブラシ叢（５）の中に部分入歯を挿入し、必要と好みにより歯磨き剤、洗浄剤、食塩などを投入添加する。
（ロ）押し揉みカップ（１）の開口部（２）を蛇口に当ててブラシ叢（５）に適量の水道水を注ぎつつ、掌と指先を用いてカップを律動的に押し揉みすることにより、部分入歯に対しブラシ叢による摩擦を加え、洗浄を行なう。
（ハ）洗浄の了った部分入歯は、押し揉みカップ（１）内に残る水を振り切ったあと、そのままブラシ叢（５）中に留めて保管することができる。
（ニ）以上のような特性・機能から、この発明のブラシ叢（５）の部分は必ずしも小ブラシ（４）の集合である必要はなく、細毛をそなえた小球・小板や弾性のある繊維の集合体など、入歯表面に付着した汚れを摩擦や摺動にによって除去することが可能な他の素材をもって置き換えることができる。
【０００７】
【発明の効果】
この発明により、部分入歯の洗浄が簡便、確実、安価、且つ身体感覚を伴って達成感のあるものとなるに加え、洗浄後、その使用者は、人目に曝すことの憚られる部分入歯の保管具を得ることができ、好都合である。
また、カップを掌中にして律動的に押し揉みする動作は、指先の運動により脳の活性化や血流の改善をはかる健康具のそれによるのと変らず、心身の健康にも利するところがある。
【図面の簡単な説明】
【図１】本発明押し揉みカップの斜視図である。
【図２】本発明ブラシ叢の斜視図である。
【図３】本発明使用形態の斜視図である。
【図４】本発明使用中の断面図である。
【符号の説明】
１    押し揉みカップ
２    開口部
３    排水口
４    小ブラシ
５    ブラシ叢
６    部分入歯
【図１】
2004208990.tif 000003
【図２】
2004208990.tif 000004
【図３】
2004208990.tif 000005
【図４】
2004208990.tif 000006
(57)【要約】【課題】加減速のような電流を流すような時は、スイッチングロスも増えるため減らし定常運転のような応答が必要な時は応答を高める。【解決手段】加減速するような大きな電流を流す必要がある場合はスイッチングの周期を長くし、それ以外の定常のような電流を流す必要がない場合は、スイッチングの周期を短くして流す。これにより、加減速のような電流を流すような時は、スイッチングロスも増えるため、減らし定常運転のような応答が必要な時は応答を高めることができる。【選択図】    図１
2004208471.tif 000002
【特許請求の範囲】
【請求項１】
サーボモータを駆動するサーボ制御装置におけるモータに電流を流すトランジスタのスイッチング方法において、
加減速や定常速度の判別手段とスイッチング周期変更手段を持ち、前記判別手段により加減速するような大きな電流を流す必要がある場合は前記スイッチング周期変更手段よりスイッチングの周期を長くし、定常のような電流を流す必要がない場合は、スイッチングの周期を短くして流すことを特徴とするサーボ制御装置のトランジスタのスイッチング方法。
【請求項２】
前記トランジスタのスイッチング方法において、
判別手段により加減速ではスイッチング周期を長く、定常や停止時には負荷時に応じてスイッチング周期を短くすることを特徴とするサーボ制御装置のトランジスタのスイッチング方法。
【請求項３】
前記トランジスタのスイッチング方法において、
前記判別手段としてヒートシンクやその他条件に応じてスイッチング周期を変えることを特徴とするサーボ制御装置のトランジスタのスイッチング方法。
【発明の詳細な説明】
【０００１】
【発明の属する技術分野】
本発明はサーボモータを駆動するサーボ制御装置におけるモータに電流を流して駆動するトランジスタスイッチング方法において、加減速するような大きな電流を流す必要がある場合はスイッチングの周期を長くし、定常のような電流を流す必要がない場合は、スイッチングの周期を短くして流す方法に関する。
【０００２】
【従来の技術】
従来、サーボモータを駆動するサーボ制御装置においてサーボモータのスイッチングは一定周期の三角波を用いて、キャリア周波数であるＰＷＭに変換してトランジスタをスイッチングしてモータを駆動していた（例えば、特許文献１参照）。
【０００３】
【特許文献１】特開平８−１９２６９号公報
【０００４】
【発明が解決しようとする課題】
ところが従来の技術では、一定周期の三角波のため途中で変更できないという問題があった。
特に定常運転時や停止時のような応答が必要な時に、早くできないという問題があった。またスイッチング周期を早くするとスイッチングロスが増えるため、早くできなかった。
そこで本案は、加減速のような電流を流すような時は、スイッチングロスも増えるため減らし定常運転のような応答が必要な時は応答を高めることを目的とする。
【０００５】
【課題を解決するための手段】
上記課題を解決するため、サーボモータを駆動するサーボ制御装置において加減速するような大きな電流を流す必要がある場合はスイッチングの周期を長くし、それ以外の定常のような電流を流す必要がない場合は、スイッチングの周期を短くして流す。
上記手段により、電流が大きい時のスイッチングロスを減らし、また電流が小さい時は電流の応答を上げることができる。そして全体としてスイッチングロスを小さくできるので放熱のためのヒートシンクを減らすことができる。
【０００６】
【発明の実施の形態】
以下、本発明の具体的実施例を図１に示して説明する。
図１においては１はマイクロコンピュータ、２はスイッチング周期変更手段を持ったＰＷＭ変換回路、３はベースドライブ回路、４はパワートランジスタモジュールである。
図２はＰＷＭ変換回路の詳細でカウンタ等で構成されている。
５は分周用カウンタ、６は三角波発生用アップダウンカウンタ、７はコンパレータである。
以上のように構成された回路において、その動作を図３のタイミング図を用いて説明する。
まず、図１でマイクロコンピュータ１は電流指令を外部から受け取る。そして電流制御を行い、その出力をＰＷＭ変換回路２でＰＷＭ変換してベースドライブ駆動回路３を通してパワートランジスタ４を駆動してモータを制御する。
ここでＰＷＭ変換回路は通常、例えば図３のスイッチング周期ａでスイッチングする。そしてスイッチングロスは例えば図４のように流しているトランジスタがオン又はオフすると電流と電圧が変化する。
そこでスイッチングロスはスイッチングが完了する迄の電流と電圧分の積である。そしてマイクロコンピュータ１は電流指令又はトルクを観測し、あるスレッシュレベルと比較して大きい場合（例えば加減速や定格トルクの１．５倍等）、図２のスイッチング周期ａからスイッチング周期ｂへ変更する。
スイッチング周期の変更は例えば図２のＰＷＭ変換回路のクロック分周又は三角波の高さを変えることにより行う。つまり高さ（カウンタの上限値）を高くすると上限までの時間が長くなるので周期が伸びる。三角波用のカウンタは上限値でオーバフローしてカウントダウンするようにする。
別の手段としてスイッチング周期の変更は、マイクロコンピュータ１が直接トランジスタをドライブしてスイッチング周期を管理する等しても良い。
つまり周期を長くしてスイッチング回数を減らす。そして、全体のロスＰｌｏｓｓは以下のようになる。
Ｐｌｏｓｓ＝∫Ｐｌｏｓｓａ・ｄｔ＋∫Ｐｌｏｓｓｂ・ｄｔ     （１）
Ｐｌｏｓｓａ：スイッチング周期ａのロス
Ｐｌｏｓｓｂ：スイッチング周期ｂのロス
【０００７】
【発明の効果】
以上述べたように本発明によれば、電流が大きい場合そのままではスイッチングロスが大きくなるのを減らし、また電流が小さい場合はスイッチングロスは元々小さいので、電流の応答を上げることができる。
そして全体としてスイッチングロスを小さくできるので、放熱のためのヒートシンクを減らすことができる。
【図面の簡単な説明】
【図１】本発明の具体的実施例の構成図である。
【図２】ＰＷＭ変換回路の詳細図例である。
【図３】本発明でのスイッチングのタイミング図である。
【図４】トランジスタのオフ及びオン時の電圧・電流の変化である。
【符号の説明】
１  マイクロコンピュータ
２  スイッチング周期変更手段を持ったＰＷＭ変換回路
３  ベースドライブ回路
４  パワートランジスタモジュール
５  クロック分周回路
６  三角波発生回路（アップダウンカウンタ）
７  コンパレータ
【図１】
2004208471.tif 000003
【図２】
2004208471.tif 000004
【図３】
2004208471.tif 000005
【図４】
2004208471.tif 000006
(57)【要約】      （修正有）【課題】スラブ配管作業時配管がやりにくく時間がかかっていた。【解決手段】巻き呼び棒の本体１は、足４を鉄筋に固定して、ハンドル５を回して、本体１に収納された呼び棒２を伸ばしておく。呼び棒２の先端具３は、鉄筋等に引っかからないよう、先細り形状である。先端具３は合成樹脂管を固定する、スライド式のストッパーを備えている。先端具３に合成樹脂管を取り付け後、合成樹脂管を押すと、巻き呼び棒の本体１は自動的に呼び棒２を巻き取り、配管をする。【選択図】図１
2004208482.tif 000002
【特許請求の範囲】
【請求項１】
スラブ鉄筋内等の狭い隙間に棒を通して電気配管等の合成樹脂管を長い距離でも引っ張る事ができる。
【請求項２】
鉄筋内で棒を伸ばしたり縮める時鉄筋の編み目等に棒、先端具が引っかかり等がない事を特徴とする。
【請求項３】
先端具に合成樹脂管を取り付ける時、道具やビニールテープ等を使わずに簡単に取り付ける事ができる。
【請求項４】
先端具と合成樹脂管の取り付け方法は、先端具から配管支持用の爪を出し合成樹脂管の内部を押して取り付ける。
【請求項５】
１つの先端具で合成樹脂管の複数のサイズを同じ方法で取り付ける事ができる。
【請求項６】
棒と先端具は取り付け取り外しができることを特徴とする。
【請求項７】
鉄筋に巻き呼び棒を引っかけて呼び棒を出し先端具の凹凸を鉄筋に引っかけ巻き戻らないようにして合成樹脂管をセットした後、配管を押し出すと自動的に棒が巻かれ配管を引っ張ってくれる事を特徴とする。
【発明の詳細な説明】
【０００１】
【発明の属する技術分野】
スラブ配管用の巻き呼び棒及び先端具
【０００２】
【従来の技術】
従来は管を手で押しながら少しずつ進むか竿を使って管を引っ張っていたが２〜３ｍ毎に竿や管を引っ張ったり押したりしなければいけなっかった。
又、距離が長くなると管の入れ込み場所に戻り管を伸ばしてから竿や管の先端に戻り同じような作業を繰り返しながら目的地まで配管していた。
【０００３】
【発明が解決しようとする課題】
長距離の配管でも同じ作業を繰り返さなくてよく時間の短縮をすること。
１人でも簡単に長距離が引っ張れる用にすること。管の取り付けが簡単で、棒を出し入れするとき鉄筋に引っかからないようにすること
【０００４】
【課題を解決するための手段】
以上の問題を解決するために巻き呼び棒は、本体を鉄筋に足４で引っかけ棒を出し巻き取られないよう凹凸Ｂを鉄筋に引っかけ管取り付け後管を押すだけで自動的に棒を巻き、管が引っ張れる。
先端具は棒を伸ばす時、管を引く時に鉄筋等に引っかからず各サイズが取り付けできるように２段階で太くなり１段目Ａから２段目Ｆの間は徐々に太くなり２段目から管支持用のストッパーの間は徐々に細くなる。
又、先端具と管を取り付けるとき管内部に１段目から２段目の間まで入れストッパーを下げることにより内部ストッパーが下がり管支持用の爪が外部に出て管を内部から固定する。
【０００５】
【発明の一実施の形態】
この発明の一実施形態を、図１、図２に示す
巻き呼び棒の本体には鉄筋に固定する足４と手動で回すハンドル５があり本体１の中に呼び棒２が収納されており呼び棒を伸ばすと本体は呼び棒を引っ張ろうとする。
先端具は１段目Ａと２段目Ｆの２段階に太くなり１段目に鉄筋を引っかける凹凸ＢがありＡＢ間の先端側の段差以外の段差及び先端は斜めになっているため鉄筋等に引っかからない。又内部には管を内部から固定する爪がありストッパーＨを図２のように左側に持っていくと内部ストッパーＥが左に動き爪が出て右側に持っていくと中に入る。
【０００６】
【実地形態の効果】
この実地形態によれば、本体１が呼び棒２を巻くとき足４が鉄筋に引っかかり本体が動かずに引っ張れる。先端具は呼び棒を伸ばす時管を付けて引っ張るとき鉄筋等に引っかからず又１人でも長距離のスラブ配管ができて、作業時間も短縮される。
【０００７】
【他の実地形態】
図１，図２の形態では、巻き呼び棒の本体１は丸だが丸でなくてもよい。
足４は鉄筋等に引っかけるがビス、ボルト等で締め付けて固定してもよい。
先端具の爪はストッパーを解除してバネで押し出すが複数の爪の中心に芯棒を入れ芯棒で爪を押し出してもよい。又図１，図２の形態と異なる形態であってもよい。
【０００８】
【発明の効果】
この発明によれば、スラブ配管作業時長距離等引っ張る時同じ作業を繰り返す事なく配管がやりやすくなり、巻き呼び棒が管を引っ張るので１人でも簡単に作業ができる。
管のセットも簡単で管内部で固定するので段差が少なく引っ張りやすくなった。
【０００９】
【図面の簡単な説明】
【図１】巻き呼び棒の一実施形態を示す斜視図である。
【図２】先端具の一実施形態を示す斜視図である。
【符号の説明】
図１
１  本体        ２  呼び棒
３  先端具      ４  足
５  ハンドル
図２
Ａ  １段目
Ｂ  凹凸
Ｃ  爪
Ｄ  バネ
Ｅ  内部ストッパー
Ｆ  ２段目
Ｇ  レール
Ｈ  ストッパー
Ｉ  呼び棒
【図１】
2004208482.tif 000003
【図２】
2004208482.tif 000004
(57)【要約】【課題】従来より、粘着材や不織布を用いた掃除器具は広く知られています。これらの掃除器具は使い捨てタイプのもであり、僅かなゴミを粘着回収しては相当量の清掃用布を廃棄することになり不経済であった。故に再利用可能で簡便な掃除器具の提供を課題とした。【解決手段】上記の目的を達成するために、温度により粘着性と非粘着性が切り替わる側鎖結晶性ポリマー（商標インテリマー）を塗布した集塵ベルトと、集塵ベルトを移動可能に被清掃面に接するように配置された保持部と、前記集塵ベルトを所定の温度に加熱する加熱部と、集塵構造部とで構成し、集塵と剥離を清掃行動中に同時に行える掃除器具を構成した。【選択図】        図３
2004208863.tif 000002
【特許請求の範囲】
【請求項１】
所定の温度により粘着性と非粘着性が切り替わる側鎖結晶性ポリマーを塗布した集塵ベルトと、集塵ベルトを移動可能に被清掃面に接するように配置された保持部と、前記集塵ベルトを所定の温度に加熱する加熱部と、集塵構造部とで構成されたことを特徴とする粘着式掃除機。
【請求項２】
前記加熱部を加熱部により集塵ベルトが清掃面に圧接するように配置したことを特徴とする請求項１記載の粘着式掃除機。
【請求項３】
前記の加熱部の加熱手段をペルチェ素子としたことを特徴とする請求項１〜２記載の粘着式掃除機。
【発明の詳細な説明】
【０００１】
【発明の属する技術分野】
本発明は、家庭用の吸着集塵式掃除具に関する。
【０００２】
【従来の技術】
従来より、粘着材や不織布を用いた掃除器具は広く知られています。例えば特開平１０‐２６２８８７に開示されているように、これらの掃除器具は粘着若しくは吸着式の使い捨てタイプのものであった。
【０００３】
【発明が解決しようとする課題】
しかし、粘着テープや不織布は再利用ができずに、粘着若しくは吸着面にチリやゴミが詰まればその都度、粘着テープや不織布を一部剥離して廃棄するか、ロール等に巻き取りロールごと廃棄せねばならず、僅かなゴミを粘着回収しては相当量の清掃用材料を廃棄することになり不経済である。
【０００４】
また、軟質のゴムや樹脂のローラーに粘着性のあるポリマーを塗布して構成した機器は、粘着面がチリやゴミで詰まればその都度、水洗いなどでチリやゴミを剥離する必要があり、ある程度の時間乾燥しなければ粘着性が回復しないなどの問題があった。要するに、粘着したチリやゴミを容易に剥離し、粘着性をすばやく回復する必要があった。
【０００５】
【課題を解決するための手段】
上記の目的を達成するために、請求項１記載の粘着式掃除機は、所定の温度により粘着性と非粘着性が切り替わる側鎖結晶性ポリマーを塗布した集塵ベルトと、集塵ベルトを移動可能に被清掃面に接するように配置された保持部と、前記集塵ベルトを所定の温度に加熱する加熱部と、集塵構造部とで構成されたことを特徴とする粘着式掃除機。
【０００６】
このように構成することにより、側鎖結晶性ポリマーを塗布した集塵ベルトを加熱部で粘着性を示す温度帯まで加熱して被清掃面に接することにより、チリやゴミなどを粘着回収して自らの粘着性で集塵部へと移送し、自然冷却により非粘着性を示す温度域に到達するため、容易に粘着したチリやゴミなどを剥離集塵することができる。側鎖結晶性ポリマーの組成などは特開２００２‐３２２４４８により開示されているので説明は省略した。
【０００７】
また、請求項２記載の粘着式掃除機は、前記加熱部を加熱部により集塵ベルトが清掃面に圧接するように配置したことを特徴とする請求項１記載の粘着式掃除機。
【０００８】
このように構成すればひとつの加熱手段で前後に稼動することが可能となり、より効率が良くなる。
【０００９】
さらに、請求項３記載の粘着式掃除機では、前記の加熱部の加熱手段をペルチェ素子とした構成を採用した。
【００１０】
ペルチェ素子は冷熱と温熱の両方を同時に発生することが可能であり、集塵ベルトに塗布されたインテリマーの粘着性と非粘着性を切り替える温度帯より高い温度と低い温度が同時に供給できるため、強制的に任意の場所で非粘着性を示す温度帯に移行することができ、容易に集塵することが可能となる。
【００１１】
【発明の実施の形態】
本発明を具体的に示すため、添付の図を参考にして実施例を以下に示す。
【００１２】
【実施例１】
本実施例では、請求項１〜３の各発明について、図１、図２、図３を参考にして説明する。
【００１３】
所定の温度により粘着性と非粘着性が切り替わる側鎖結晶性ポリマーを塗布した集塵ベルト（２）と、集塵ベルト（２）を移動可能に被清掃面に接するように配置された保持部ローラー（５）と、前記集塵ベルト（２）を床面に圧接するように配置し、所定の温度に加熱する加熱部（１）と、手などからの推力により、床面に圧接してゴミやチリなどを粘着した集塵ベルト（２）が移送及び冷却されて剥離可能となった状態で集塵構造剥離部（４）に到達し、ブラシなどの剥離部材により、粘着したゴミやチリは剥ぎ取られて集塵構造収納部（３）へと落下回収される。
【００１４】
このサイクルを継続することにより効率よく集塵できると共に、清掃布（集塵ベルト）は再利用可能となる。図３では集塵構造部は後部一箇所のみ記されているが、前方にも同様に配置することにより、前後ともに同様の集塵サイクルを行うことが可能となる。
【００１５】
更に加熱部の温度を調整することにより、床面等に存在するレジオネラ菌の減菌効果なども発揮される。また、加熱部にペルチェ素子を採用すれば温熱及び冷熱を同時に得ることができるので、よりコンパクトな構造にすることができる。
【００１６】
【発明の効果】
本発明は清掃布（集塵ベルト）の再利用を可能にし、作業性を著しく向上した。更に床面などの減菌効果が期待できる。
【図面の簡単な説明】
【図１】は、上部透過図
【図２】は、側面透過図
【図３】は、斜視透過図
【符号の説明】
（１）        加熱部
（２）        集塵ベルト
（３）        集塵構造収納部
（４）        集塵構造剥離部
（５）        保持部ローラー
【図１】
2004208863.tif 000003
【図２】
2004208863.tif 000004
【図３】
2004208863.tif 000005
(57)【要約】【課題】携帯電話には常に電池切れという危険が伴い、携行先で充電する機器、環境を整えることは困難だった。また、今までのソーラーパネル搭載の装置では装置の破損の危険もあり、移動中の充電は困難だった。【解決手段】携帯電話１にソーラーパネル２を搭載し、さらに透明カバー３をつけることにより、携行性能と耐久性能を向上させる。【選択図】図１
2004208251.tif 000002
【特許請求の範囲】
【請求項１】
携帯電話表面に透明カバー付ソーラーパネルを搭載し、移動中でもストラップなどの使用により充電可能なことを特徴とする携帯電話。
【請求項２】
ソーラーパネルを直接携帯電話に搭載し、破損しないように表面部にカバーを付け、移動中でも充電可能なようにカバーが透明であることを特徴とする請求項１記載の携帯電話。
【発明の詳細な説明】
【０００１】
携帯電話の本体表面にソーラーパネルを搭載して、更に表面部に透明なカバーをつける事によって、携行に伴う利便性と耐久性を共に向上させる。
【発明の属する技術分野】
この発明は、携帯電話の利便性、耐久性を向上させる装置に関する。
【０００２】
【従来の技術】
従来の携帯電話は専用の充電器を使用するか、別の充電器に相当する装置を別途使用しないと充電が不可能であった。また、ソーラーパネルを搭載した物も耐久性に乏しい為破損の可能性が大きく、装置の設置形式上、移動中の充電は困難であった。
【０００３】
【発明が解決しようとする課題】
しかしながら、以上の従来技術によれば、携帯電話は携行用装置のため電池が無くなっても充電する機器、環境を整えることは困難であり、充電機器を携行することは破損の危険も伴い、移動中の充電は困難なものであった。そこで、この発明は、余分な機器を携行せず、移動中に充電を行うことが出来る携帯電話を提供することを課題とする。
【０００４】
【課題を解決するための手段】
以上の課題を解決するために、請求項１の発明は、携帯電話に透明なカバーで覆われたソーラーパネルを搭載したことを特徴とする携帯電話である。また、請求項２の発明は、ソーラーパネルを直接携帯電話に搭載し、破損しないように表面部に透明なカバーを付け、移動中でも充電を可能としたことを特徴とする携帯電話である。
【０００５】
【発明の実施の形態】
この発明の一実施形態を、図１に示す。
携帯電話本体があり、この本体１の表面には、ソーラーパネル２が一体的に設けられている。このソーラーパネル２の表面には、携行によって破損しないように透明なカバー３が設置されている。
【０００６】
「実施形態の効果」
この実施形態によれば、ソーラーパネルと透明なカバーの搭載により付帯機器を使用せず充電が可能になり、携行時の耐久性と利便性も向上する。したがって携帯電話の携行性と耐久性が向上する。
【０００７】
「他の実施形態」
図１の実施形態では、ソーラーパネルと透明カバーは折りたたみ式携帯電話に搭載するパネル２、透明カバー３であったが、折りたたみ式でない携帯電話にソーラーパネルを搭載して透明カバーを付属させても良い。また、図１の実施形態では、透明カバー３は本体１に対して可動式であるが、本体１に対して固定式の透明カバー３でも良い。
【０００８】
【発明の効果】
以上説明したように、この発明によれば、ソーラーパネルを搭載し透明カバーを付属させることで携行性と耐久性が向上する。
【図面の簡単な説明】
【図１】この発明の一実施形態を示す斜視図である。
【図２】従来技術を示す斜視図である。
【符号の説明】
１  携帯電話本体                    ２  ソーラーパネル
３  透明カバー
【図１】
2004208251.tif 000003
【図２】
2004208251.tif 000004
(57)【要約】【課題】調湿・断熱・遮音・消臭等に対して十分にその効果を発揮するマットの開発。【解決手段】不織布又はフエルト等の布状物質１にて他の素材を挟持し、ニードリングにより不織布又はフエルト等の布状物質１を結合させるようにしたマットに於いて、多孔質物質４を積層状としたものを素材として用いるようにしたものである。【選択図】　　　　図１
2004092006.tif 000002
【特許請求の範囲】
【請求項１】
不織布又はフエルト等の布状物質にて他の素材を挟持し、ニードリングにより不織布又はフエルト等の布状物質を結合させるようにしたマットに於いて、多孔質物質を積層状としたものを素材として用いるようにしたことを特徴とする多孔質マット。
【請求項２】
不織布又はフエルト等の布状物質の原料として、繊維に低融点繊維を混入して用いるようにし、ニードリングにより結合させた後熱循環器（乾燥機）を通して低融点繊維の低融点部を溶融させ繊維と溶着させるようにした請求項１記載の多孔質マット。
【発明の詳細な説明】
【０００１】
【発明の属する技術分野】
【０００２】
【従来の技術】
近年生活環境などの変化により衣食住に於いてもより良くするために色々な研究が行なわれている。
その中で住についても新しい感覚による設計にて使い易く住み良い家やビルの建設が行なわれて来ている。
更に家やビルの敷物や壁・天井材等の内装や家具屋調度品などのインテリや関係に於いても、同じように家やビルにマッチするように施工されて来ている。
このためにより住む上、特に床材として用いるマット類に於いて重要な調湿・断熱・遮音・消臭等に対しての対策に十分に応えようとしての材料が考えられてきている。
【０００３】
【発明が解決しようとする課題】
しかしこのように色々考えられているなかにあって、床・壁・天井材として用いられるマット類も種々の開発が行なわれて来ているが、重要な調湿・断熱・遮音・消臭等に対して十分にその効果を発揮してこれで由とするものが未の感があり、マット類の使用上非常に不都合を感じていた。
【０００４】
【課題を解決するための手段】
本発明はこのような不都合を解消するもので、
不織布又はフエルト等の布状物質にて他の素材を挟持し、ニードリングにより上下の不織布又はフエルト等の布状物質を結合させるようにしたマットに於いて、多孔質物質（人工ゼオライト）を積層状としたものを素材として用いるようにしたものである。
又不織布又はフエルト等の布状物質の原料として、繊維に低融点繊維を０〜１００％の範囲に於いて混入して用いるようにし、ニードリングにより結合させ、結合後熱循環器（乾燥機）を通して低融点繊維の低融点部を溶融させ繊維と溶着させたものである。
【０００５】
【作用】
このように多孔質物質を布状物質にて挟持しニードリングにて確実に結合させるとことが出来る共に、更に低融点繊維を用いたことによって結合が溶融にて行なえるため布状物質が剥がれることがない。
そして使用すると多孔質物質を用いたことによって、ホルムアルデヒド等の有害ガスやアンモニア等の悪臭を強力に吸引して消臭すると共に、無数にある超微細な孔が呼吸作用を発揮し、湿度の高い時は空気中の湿気を吸収し、空気が乾燥すると湿気を放出して調湿作用を発揮して快適な湿度を保つ。
又、微細な孔を無数に有するのでミクロ単位の空間が無数に出来て断熱効果が得られると共に、微細な孔によって内部或は外部からの音を吸収し遮音効果を発揮する。
このため建築用の内装関係は勿論他の分野での使用が可能でありその応用範囲も広い。
【０００６】
【実施の形態】
以下本発明の一実施例を図面について説明する。
（実施例１）
図中１は繊維２と低融点繊維３を５０％とした不織布からなる布状物質であって、人工ゼオライトを積層状とした多孔質物質４を両側より挟持し、ニードリングにより繊維２及び低融点繊維３を毛羽立ちさせ、両側の布状物質１を結合して結合マット５としている。
結合が終ると結合マット５を熱循環器（乾燥機）に投入して低融点繊維３の低融点部を溶融させて繊維２と溶着させて多孔質マットを形成したものである。
【０００７】
（実施例２）
図中６は繊維７と低融点繊維８を４０％としたフエルト層からなる布状物質であって、繊維９と低融点繊維１０を４０％としたウエブからなる布状物質１１とで人工ゼオライトを積層状とした多孔質物質４を両側より挟持し、ニードリングにより繊維７・９及び低融点繊維８・１０を毛羽立ちさせ、両側の布状物質６・１１を結合して結合マット１２としている。　結合が終ると結合マット１２を熱循環器（乾燥機）に投入して低融点繊維８・１０の低融点部を溶融させて繊維７・９と溶着させて多孔質マットを形成したものである。
尚フエルト層は薄くしたフエルトを何枚も重ね合わせるようにしても良い。
【０００８】
実施例１及び２何れにおいても、多孔質物質４を布状物質１・６・１１にて挟持し、ニードリングにて確実に結合させるとことが出来る共に、低融点繊維３・８・１０を用いたことによって結合が溶融にて行なえるため布状物質１・６・１１が剥がれることがない。
そして使用すると多孔質物質４を用いたことによって、悪臭を強力に吸引して消臭し、調湿作用を発揮して快適な湿度を保つと共に、微細な孔による空間が無数に出来て断熱効果が得られ内部或は外部からの音を吸収し遮音効果を発揮する。
このため建築用の内装関係は勿論他の分野での使用が可能でその応用範囲も広い。
【０００９】
【発明の効果】
上述の如く本発明の請求項１に於いては、多孔質物質を用いたことによって、悪臭を強力に吸引して消臭し、調湿作用を発揮して快適な湿度を保つと共に、微細な孔による空間が無数に出来て断熱効果が得られ内部或は外部からの音を吸収し遮音効果を発揮する。
請求項２に於いては、低融点繊維を用いたことによって溶融にて結合が強力に行なえるため布状物質が剥がれることがない。
このように多くの特長がありその応用範囲も広く、産業利用上非常に優れた発明である。
【図面の簡単な説明】
【図１】本発明実施例１の断面図である
【図２】本発明実施例１の部分拡大図である
【図３】本発明実施例２の断面図である
【図４】本発明実施例２の部分拡大図である
【符号の説明】
１　布状物質
２　繊維
３　低融点繊維
４　多孔質物質
５　結合マット
６　布状物質
７　繊維
８　低融点繊維
９　繊維
１０　低融点繊維
１１　布状物質
１２　結合マット
【図１】
2004092006.tif 000003
【図２】
2004092006.tif 000004
【図３】
2004092006.tif 000005
【図４】
2004092006.tif 000006
(57)【要約】【課題】小物を携帯する煩わしさを解消し、帽子のデザインをカスタマイズする新しい楽しみ方のために、アイテムを着脱自在に出来る帽子を提供する。【解決手段】帽子本体にマジックテープのメス型１を使用することによってオス型２を付けた色々なアイテムを着脱自在にする。【選択図】　図１
2004092004.tif 000002
【特許請求の範囲】
【請求項１】
帽子本体をマジックテープのメス型（ループ面）で作ることにより、オス型（フック面）をつけた色々なアイテムを着脱自在に出来るようにした帽子。
【発明の詳細な説明】
【０００１】
【発明の属する技術分野】
本発明は、小物を携帯するわずらわしさを軽減するためおよび、帽子本体を、個人の好みにあわせて、簡単にデザインしなおせるようにした帽子である。
【０００２】
【従来の技術】
従来の帽子は日よけや塵埃を防ぐものとしてあり又、そのデザインは既製のものをそのまま使用するしかなかった。
【０００３】
【発明が解決しようとする課題】
夏の衣服は、軽装なのでタバコなどを入れるポケットが付いてなかったり、付いていても入れておくと暑苦しい思いをしていた、又、帽子のデザインは既製のものをそのまま使用するだけでデザインにあきると買いなおすほかなかった。本発明は、この課題を解消するためになされたものである。
【０００４】
【課題を解決するための手段】
帽子本体をマジックテープのメス型で作ることによって、マジックテープのオス型を付けたシュガーレットケースなどの小物が簡単に着脱出来るようになり、帽子全体を小物の収納場所として使えるようにした。同時に、オス型を付けた色々なアクセサリーを交換することによって、オリジナルのデザインが楽しめるようになった。
【０００５】
【発明の実施の形態】
以下、本発明の実施の形態について説明する。
（イ）．帽子の生地にマジックテープのメス型１を使う。
（ロ）．シュガーレットケース３などに、マジックテープのオス型２を接着する。
【０００６】
【発明の効果】
帽子を小物の新しい収納場所にすることにより小物を携帯する煩わしさが軽減され、アクセサリーの交換という、帽子の新しい楽しみ方が出来るようになった。又、貼り付けた物はスピーディに使用出来るので電卓やメジャーなどをつければ個人にとって、大変便利な道具となる。
【図面の簡単な説明】
【図１】本発明使用例の斜面図である。
【図２】本発明使用状態を示す断面図である。
【図３】本発明実施例の斜面図である。
【符号の説明】
１　生地がマジックテープのメス型になっている帽子本体
２　マジックテープのオス型
３　シュガーレットケース
４　アクセサリー
【図１】
2004092004.tif 000003
【図２】
2004092004.tif 000004
【図３】
2004092004.tif 000005
(57)【要約】【課題】正方形の施解錠軸が嵌挿する挿入孔に、アダプターを嵌挿して、正方形の施解錠軸の一辺と同程度もしくはより大きい長辺を有する長方形の施解錠軸にも対応できるようにすることが本発明の課題である。【解決手段】錠前を施解錠することができるロックカムを錠本体の中に有し、ロックカムに設けた挿入孔に施解錠軸及びアダプターを嵌挿することができる錠前装置において、挿入孔は、略正方形状の施解錠軸用孔に、その相対向する少なくとも一対の辺の中央に、外方に突出する突出孔を連続して設けた形状とし、アダプターは、突出孔に嵌挿する突条部を有すると共に、一方の突条部から他方の突条部に至る略長方形状の施解錠軸用孔を設けて成る。【選択図】　　　　図４
2004092091.tif 000002
【特許請求の範囲】
【請求項１】
回動することによって施解錠することができるロックカムを錠本体の中に有し、ロックカムに設けた挿入孔に施解錠軸及びアダプターを嵌挿することができる錠前装置において、挿入孔は、略正方形状の施解錠軸用孔に、その相対向する少なくとも一対の辺の略中央に、外方に突出する突出孔を連続して設けた形状とし、アダプターは、突出孔に嵌挿する一対の突条部を有すると共に、一方の突条部から他方の突条部に至る略長方形状の施解錠軸用孔を設けたことを特徴とする錠前装置。
【発明の詳細な説明】
【０００１】
【発明が属する技術分野】
本発明は、正方形状と長方形状の両方の断面形状の施解錠軸に対応して取り付けられる錠前装置に関するものである。
【０００２】
【従来の技術】
従来より、角筒状のアダプターを角孔状の挿入孔に嵌挿して、複数の角芯の寸法に対応することができるようにしたものは提案されている。
【０００３】
【発明が解決しようとする課題】
上記従来例においては、アダプターの角孔の寸法は、角孔状の挿入孔の寸法よりも当然に小さいものであり、アダプターを挿入孔に嵌挿して、挿入孔よりも小さい孔にすることは一般的に行われていることである。
本発明は、正方形の施解錠軸が嵌挿する挿入孔に、アダプターを嵌挿して、正方形の施解錠軸の一辺と同程度もしくはより大きい長辺を有する長方形の施解錠軸にも対応できるようにすることが本発明の課題である。
【０００４】
【課題を解決するための手段】
本発明は、上記の課題を解決するために、錠前を施解錠することができるロックカムを錠本体の中に有し、ロックカムに設けた挿入孔に施解錠軸及びアダプターを嵌挿することができる錠前装置において、挿入孔は、略正方形状の施解錠軸用孔に、その相対向する少なくとも一対の辺の中央に、外方に突出する突出孔を連続して設けた形状とし、アダプターは、突出孔に嵌挿する突条部を有すると共に、一方の突条部から他方の突条部に至る略長方形状の施解錠軸用孔を設けて成るものである。
【０００５】
【発明の実施の形態】
本発明の錠前装置は、錠本体１の先端面からラッチ１２が進退するようになっており、ラッチハブ３を角芯（図示せず）によって回動するとラッチ１２が後退し、ロックカム２を回動すると、ラッチ１２の後退及びラッチハブ３の回動を阻止して施錠し、ロックカム２を反対に回動すると解錠するようになっている。この錠前の構造は、一般的なものであり、詳細な説明は省略する。なお、本発明はこの構造に必ずしも限定されるものではなく、ロックカム２を回動すると、デッドボルトが進退して施解錠する形式の錠前でも良い。
【０００６】
ロックカム２には、挿入孔５が設けられており、この挿入孔５は、正方形を４５度傾けた施解錠軸用孔７に、その四辺の中央からそれぞれ外方に突出する突出孔８・・・８を連続して設けた形状になっている。また、ラッチハブ３には、角芯用孔６が設けられており、この角芯用孔６は、水平状態の角孔と４５度傾けた寸法の少し大きい角孔を重ねた形状となっている。
【０００７】
そして、ロックカム２に嵌挿されるアダプター４は、角柱の四辺の中央からそれぞれ外方に突出する突条部１０・・・１０を設けて、ロックカム２の挿入孔５にほぼ合致する断面形状となっており、端面に円形の鍔板１１が設けられている。さらに、相対向する一対の突条部１０・１０に対応するように長方形状の施解錠軸用孔９を設けてある。
【０００８】
図５に示すように、アダプター４をロックカム２の挿入孔５に嵌挿していない状態では、断面正方形の施解錠軸１３・１３を両側から挿入孔５の施解錠軸用孔７に嵌挿して使用し（図４の（Ａ）参照）、図６に示すように、アダプター４を挿入孔５に嵌挿すると、断面長方形の施解錠軸１４をアダプター４の施解錠軸用孔９に嵌挿して使用することができる（図４の（Ｂ）参照）。断面長方形の施解錠軸１４の長辺の寸法は、断面正方形の施解錠軸１３の一辺の寸法よりも少し大きくなっている。
【０００９】
【発明の効果】
以上のように本発明によれば、ロックカムの挿入孔は、略正方形状の施解錠軸用孔に、その相対向する少なくとも一対の辺の中央に、外方に突出する突出孔を連続して設けた形状とし、アダプターは、突出孔に嵌挿する突条部を有すると共に、突条部に対応するように略長方形状の施解錠軸用孔を設けたので、施解錠軸が単に正方形状と長方形状の両方の断面形状に対応して取り付けられるだけでなく、正方形状の施解錠軸が嵌挿する挿入孔に、アダプターを嵌挿して、正方形状の施解錠軸の一辺と同程度もしくはより大きい長辺を有する長方形状の施解錠軸にも対応できるという効果がある。
【図面の簡単な説明】
【図１】本発明の全体斜視図である。
【図２】本発明の蓋を外した状態の正面図である。
【図３】（Ａ）がロックカムの要部の断面図で、（Ｂ）がアダプターの断面図ある。
【図４】（Ａ）がロックカムの施解錠軸用孔に断面正方形の施解錠軸が嵌挿されている状態の断面図で、（Ｂ）がロックカムの挿入孔にアダプターが嵌挿され、その施解錠軸用孔に断面長方形の施解錠軸が嵌挿されている状態の断面図である。
【図５】断面正方形の施解錠軸を有する施解錠操作具（符号なし）を錠本体に取り付ける状態を示す全体斜視図である。
【図６】断面長方形の施解錠軸を有する施解錠操作具（符号なし）を錠本体に取り付ける状態を示す全体斜視図である。
【符号の説明】
１　　錠本体
２　　ロックカム
４　　アダプター
５　　挿入孔
７　　施解錠軸用孔
８　　突出孔
９　　施解錠軸用孔
１０　　突条部
１３　　施解錠軸
１４　　施解錠軸
【図１】
2004092091.tif 000003
【図２】
2004092091.tif 000004
【図３】
2004092091.tif 000005
【図４】
2004092091.tif 000006
【図５】
2004092091.tif 000007
【図６】
2004092091.tif 000008